(57)【要約】【課題】内容物を入れた後、収納体を溶着などで封止せずとも、チャックを閉じるだけで、その後の開封の痕跡を明示することができるチャック及び収納体の提供を図る。【解決手段】一対のチャック半部１１、２１を備え、各チャック半部には嵌合部１２、２３と支持部を備え、上記両チャック半部の嵌合部１２、２３同士を強制嵌合することによって上記チャック半部同士が閉ざされ、強制嵌合を解除することによって上記チャック半部同士が開くようにした合成樹脂製のチャックであり、両チャック半部１１、２１の少なくともいずれか一方に、弱め部１６、２６が設けられる。嵌合部１２、２３同士の嵌合強度が、上記弱め部１６、２６が破断する強度よりも大きい。【選択図】図２
2011229798.tif 000002
【特許請求の範囲】
【請求項１】
一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きいことを特徴とする収納体の開封明示用チャック。
【請求項２】
上記各チャック半部のそれぞれには複数の対となる嵌合部が設けられ、上記対となる嵌合部の少なくとも１つの対となる嵌合部を支持する支持部の少なくとも一つのに弱め部が設けられ、上記対となる嵌合部の少なくとも他の１つの対となる嵌合部を支持する支持部には弱め部が設けられていないことを特徴とする収納体の開封明示用チャック。
【請求項３】
請求項１又は２記載の開封明示用チャックによって開口部が閉ざされたことを特徴とする収納体。
【請求項４】
請求項１又は２記載の開封明示用チャックと、弱め部を設けられていない開閉用チャックとによって開口部が閉ざされたことを特徴とする収納体。
【発明の詳細な説明】
【技術分野】
【０００１】
本願発明は、収納体及び収納体の開封明示用チャックに関するものである。
【背景技術】
【０００２】
線上の嵌合部を揺する開閉用チャックは、袋の開閉を繰り返し行うことができる点で、極めて有用なものとして、従来より広く用いられている。ところが、この開閉用チャックの利点は、袋内部への悪戯を改竄の痕跡を明示が困難であるという欠点になる。そのため、開封されたことを明示する観点から、特許文献１及び２に示すような提案がなされている。これらの提案は、開閉用チャック以外の袋の一部を溶着などで封をすると共に、その封止部分の近くに開閉用のミシン目等の弱め線を設けたものであり、袋を開くためには、開閉用チャックを開くと共に、その弱め線を破るようにしたものである。
また、特許文献３は、スライダ付きの開閉チャックにあって、スライダは、一回だけ破断可能ないたずら証明特徴部が破断されるまでは、上記閉位置から動くことができず、あるいは、スライダが上記閉位置から動くことにより、いたずら証明特徴部が破断されるようにしたものが提案されている。
ところが、これらの提案は、内容物を袋に収納した後に、溶着や接着剤などで袋の封止を行うか（特許文献１、２）、チャックを溶着などで取り付けるようにする必要があり（特許文献３）、内容物の収納後に封止のための手間がかかったり、特別な装置が必要となる。
【先行技術文献】
【特許文献】
【０００３】
【特許文献１】特開２００２−２２５８８９号公報
【特許文献２】特開２００６−７６６１９号公報
【特許文献３】特表２０００−５１６１８２号公報
【発明の概要】
【発明が解決しようとする課題】
【０００４】
本願発明は、内容物を入れた後、収納体を溶着などで封止せずとも、チャックを閉じるだけで、その後の開封の痕跡を明示することができるチャック及び収納体の提供を目的とする。
【課題を解決するための手段】
【０００５】
本願の請求項１に係る発明は、
一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きいことを特徴とする収納体の開封明示用チャックを提供する。
本願の請求項２に係る発明は、
上記各チャック半部のそれぞれには複数の対となる嵌合部が設けられ、上記対となる嵌合部の少なくとも１つの対となる嵌合部を支持する支持部の少なくとも一つのに弱め部が設けられ、上記対となる嵌合部の少なくとも他の１つの対となる嵌合部を支持する支持部には弱め部が設けられていないことを特徴とする収納体の開封明示用チャックを提供する。
本願の請求項３に係る発明は、
請求項１又は２記載の開封明示用チャックによって開口部が閉ざされたことを特徴とする収納体を提供する。
本願の請求項４に係る発明は、
請求項１又は２記載の開封明示用チャックと、弱め部を設けられていない開閉用チャックとによって開口部が閉ざされたことを特徴とする収納体を提供する。
【発明の効果】
【０００６】
本願発明の開封明示用のチャックにあっては、これを取り付け又は一体成形した収納体の内部に内容物を収納し、この収納後に、一対のチャック半部を閉じる。この一対のチャック半部同士を嵌合してチャックを閉じるという簡単な作業のみで、再度されたことを明示することが可能となる。具体的には、閉じたチャックを開こうとすると、嵌合部同士の嵌合強度が、上記弱め部が破断する強度よりも大きいため、チャックの嵌合部が開く前に、弱め部が破断してしまう。よって、本願発明は、内容物を入れた後、収納体を溶着などで封止せずとも、チャックを閉じるだけで、その後の開封を明示することを可能にしたチャック及び収納体を提供することができたものである。
【図面の簡単な説明】
【０００７】
【図１】（Ａ）第１の実施の形態に係る開封明示用チャックの断面を示した斜視図、（Ｂ）第２の実施の形態に係る開封明示用チャックの断面を示した斜視図。
【図２】第３の実施の形態に係る開封明示用チャックの断面を示した斜視図。
【図３】第４の実施の形態に係る開封明示用チャックの断面を示した斜視図。
【発明を実施するための形態】
【０００８】
以下、図面に基づき本願発明の実施の形態を説明する。
図１に示す開封明示用チャック１０は、一対の合成樹脂製の第１チャック半部１１と第２チャック半部２１とからなる。
【０００９】
第１チャック半部１１は、雄嵌合部１２と、この雄嵌合部１２を支持する雄用支持部１３とを備える。雄用支持部１３は基部１４と中間部１５とを備える。雄嵌合部１２と基部１４とをつなぐ部分が中間部１５である。基部１４の少なくとも一部は溶着や接着剤等の接着部分１７によって、収納袋３１を構成するシートに固定される。また収納袋３１と第１チャック半部１１とを一体に形成することもできる。これらの形状は、その機能を果たし得る範囲で適宜変更して実施できるが、この例では、基部１４は上下方向（内容物の出し入れ方向）に幅のある帯状をなし、この基部１４の上下方向の中程から細幅の中間部１５が左右方向（内容物の出し入れ方向と交わる方向）に伸び、その先端に中間部１５よりも上下幅の大きな雄嵌合部１２が形成されている。なお、中間部１５を設ける位置は適宜変更でき、基部１４の中程に限らず、上下方向にずれていてもよい。また雄嵌合部１２の嵌合機能が果たせる場合には、中間部１５を省略して、基部１４に雄嵌合部１２を直接形成するようにしてもよい。接着部分１７は、基部１４の上下に１箇所ずつとしているが、基部１４の全体を接着してもよく、適宜変更し得る。
【００１０】
第２チャック半部２１は、雌嵌合部２２と、この雌嵌合部２２を支持する雌用支持部２３とを備える。雌嵌合部２２は、弾性変形することによって、雄嵌合部１２を受容し強制嵌合する。雌用支持部２３は基部２４と中間部２５とを備える。雌嵌合部２２と基部２４とをつなぐ部分が中間部２５である。基部２４の少なくとも一部は溶着や接着剤等の接着部分２７によって収納袋３１を構成するシートに固定される。また収納袋３１と第２チャック半部２１とを一体に形成することもできる。これらの形状は、その機能を果たし得る範囲で適宜変更して実施できるが、この例では、基部２４は上下方向（内容物の出し入れ方向）に幅のある帯状をなし、この基部２４の上下方向の中程から細幅の中間部２５が左右方向（内容物の出し入れ方向と交わる方向）に伸び、その先端に上下方向に二股状に分かれた雌嵌合部２２が形成され、この雌嵌合部２２に雄嵌合部１２が強制嵌合される。なお、中間部２５を設ける位置は適宜変更でき、基部２４の中程に限らず、上下方向にずれていてもよい。また雌嵌合部２２の嵌合機能が果たせる場合には、中間部２５を省略して、基部２４に雌嵌合部２２を直接形成するようにしてもよい。なお、接着部分２７は、基部２４の上下に１箇所ずつとしているが、基部２４の全体を接着してもよく、適宜変更し得る。
【００１１】
第１チャック半部１１及び第２チャック半部２１の少なくとも何れか一箇所に、弱め線１６、２６が設けられている。この弱め線１６、２６は、雄嵌合部１２、雄用支持部１３、雌嵌合部２２、雌用支持部２３のいずれに設けてもよいが、開封の確認の容易性からは雄用支持部１３、雌用支持部２３に設ける方が有利であり、図１（Ａ）に示す例では、ミシン目からなる弱め線１６、２６が基部１４、２４に設けられている。詳しくは、接着部分１７と接着部分１７との間（図では、第１チャック半部１１の基部１４の下端寄り）と、接着部分２７と接着部分２７との間（第２チャック半部２１の基部２４の上端寄り）に設けられている。この例では、両弱め線１６、２６を、第１チャック半部１１と第２チャック半部２１との双方に設けているが、いずれか一方にのみ設ければ足りる。また、第１チャック半部１１の基部１４の上端寄りと、第２チャック半部２１の基部２４の下端寄りに設けることもできる。
【００１２】
また、図１（Ｂ）に示すように、ミシン目からなる弱め線１６に限らず、凹溝からなる弱め線２６を形成することもできる。この例では雄用支持部１３の中間部１５及び雌用支持部２３の中間部２５に設けている。これらの弱め線１６、２６の形状・構造は、種々変更して実施できる。図１（Ｂ）の例では、弱め線１６を、第１チャック半部１１に対する貫通部分を断続的に設けたミシン目としており、弱め線２６を、肉厚を薄くした破れやすくした凹溝状部分としているが、ミシン目の貫通部分間を凹溝状部分で繋ぐような併用型としてもよい。貫通部分の形状も適宜変更でき、破れ方向に沿った長孔でもよく、方向性のない丸孔でもよく、破れ方向と交わる方向に伸びる孔でもよい。凹溝の断面形状も楔形、Ｕ字状など適宜変更できる。また、弱め部は、線状のものに限らず、例えば、中間部１５、２５の厚みを全体的に薄いものとして、破断しやすいものとしてもよい。また、基部１４、２４を収納袋３１のシートと接着する接着部分１７、２７を、脆弱なものとしてもよい。
【００１３】
重要なことは、弱め部（弱め線１６、２６）の破断強度よりも、雄嵌合部１２と雌嵌合部２２との嵌合強度の方が大きくなるように設計することである。簡単に言えば、収納袋３１を開封しようとして収納袋３１のシート又は開封明示用チャック１０を引っ張ったとき、雄嵌合部１２と雌嵌合部２２との嵌合が外れる前に、弱め線１６、２６が破れることである。この嵌合強度は、破断強度よりも僅かにでも大きければ足りるが、加工や材質のばらつきによる不安定性を排除する観点からは、１．５倍以上の差を設けることが望ましい。
【００１４】
次に、図２は、上記の開封明示用チャック１０と、通常の開閉用チャック３３を併用した例である。この開閉用チャック３３は、上記の開封明示用チャック１０と実質的に同じものを用いることができるが、弱め線１６、２６が設けられていない点が、相違する。図の例では、収納袋３１の開口部３２付近において、上方（収納袋３１の開口端に近い方）に開封明示用チャック１０を取り付け、その下方（収納袋３１の奥の方）に開閉用チャック３３を取り付けたものである。これによって、故意又は過失によって、開封明示用チャック１０の弱め線１６、２６を破った場合にも、開閉用チャック３３が開かれない限り、袋の密封性を維持することができる。但し、開閉用チャック３３を開封明示用チャック１０よりも上方に設けることもでき、場合によっては、開封明示用チャック１０の上下両側に開閉用チャック３３を設けてもよい。
【００１５】
また、開封明示用チャック１０のみで実施した場合、移送中の振動や衝撃によって内容物が開口から飛び出そうとしたり、袋の内圧が上昇したりして、弱め線１６、２６が破れてしまう場合があり得る。これに対して、開閉用チャック３３を収納袋３１の内部側に設けておくことによって、弱め線１６、２６が不用意に破れてしまうことを防止する。これによって、弱め線１６、２６が破られた原因が、外部からの悪戯や不正使用の目的か、移送中などの衝撃や内圧上昇によるものかが、わからなくなってしまうことを防止する。
特に、この例では、開閉用チャック３３のシートに対する固定に関して、一方の基部３４の接着については、上方側の第１接着部分３６と下方側の第２接着部分３７との双方で固定しているのに対して、他方の基部３５の接着については、上方側の第３接着部分３８のみとし、下方側はシートと接着されていない。これによって、収納袋３１の密封性が高い場合に、収納袋３１が圧縮される等して袋の内圧が高まった際、開閉用チャック３３の嵌合が外れることを防止できる。即ち、接着箇所を、上方側の第３接着部分３８のみとしておくことによって、収納袋３１の内圧が高まった場合に、他方の基部３５の下方側が収納袋３１のシートから離れて、一方の基部３４に近づく形となる。その結果、内圧は第３接着部分３８に直接かかり易くなり、開閉用チャック３３の嵌合部分を分離させる方向には直接働き難くなり、他方の基部３５の下方を接着する場合に比して、嵌合部分の強度が増加する。
【００１６】
次に、図３は、上記の開封明示用チャック１０と開閉用チャック３３とを一つのチャックとして形成した併用チャック４１の例である。具体的には、第１チャック半部１１と第２チャック半部２１のそれぞれに、雄嵌合部１２、雌嵌合部２２及び中間部１５、２５を上下に２組設ける。これらの雌雄の嵌合部１２、２２と中間部１５、２５に対する基部は上下に連続した併用基部４２、４３とする。そして、上下何れかの一方のチャックの嵌合部に対して、弱め線１６、２６を設ける。弱め線１６、２６を設ける位置は、先の例と同様、適宜変更できるが、この例では、上方の雄用支持部１３（及び／又は雌用支持部２３）の中間部１５、２５に設けている。この弱め線は、基部４２、４３に設けることもできるが、その場合、弱め線が破断された後にも、一つの嵌合部は機能するように設ける必要がある。具体的には、基部４２、４３の一部を、収納袋３１のシートに対する接着部分とした場合、その接着部分から一つの中間部１５、２５とこれにつながる雄嵌合部１２、雌嵌合部２２とを除いた部分に、弱め線を設ける。これによって、弱め線が破断された後にも、少なくともひとつの雌雄の嵌合部１２、２２は、接着部分とつながっている状態を維持することができ、開閉可能なチャックとして機能することができる。
【００１７】
以上、本願の開封明示用チャックを用いた収納体にあっては、収納袋３１等の収納体の開口部３２等から、内容物（物品に限らず、液体、気体なども含む）を収納した後、開封明示用チャック１０を閉じる。この簡単で素早い作業のみで、収納袋３１の封緘が完了する。悪戯などの不正行為が収納体の内容物に対して行なわれようとして、開口部３２を開くと、雌雄の嵌合部１２、２３が外れる前に、弱め線１６、２６が破れる。その結果、予定外の不正なアクセスの痕跡が残るものであり、安全性の向上に寄与することができるものである。
【符号の説明】
【００１８】
１０  開封明示用チャック
１１  第１チャック半部
１２  雄嵌合部
１３  雄用支持部
１４  基部
１５  中間部
１６  弱め線
１７  接着部分
２１  第２チャック半部
２２  雌嵌合部
２３  雌用支持部
２４  基部
２５  中間部
２６  弱め線
２７  接着部分
３１  収納袋
３２  開口部
３３  開閉用チャック
３４  一方の基部
３５  他方の基部
３６  第１接着部分
３７  第２接着部分
３８  第３接着部分
４１  併用チャック
４２  併用基部
４３  併用基部
【図１】
2011229798.tif 000003
【図２】
2011229798.tif 000004
【図３】
2011229798.tif 000005
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きく、
上記嵌合部同士を嵌合してチャックを閉じることで、上記閉じたチャックを開こうとすると、チャックの上記嵌合部同士の嵌合が開く前に、上記弱め部が破断してしまうことによって、上記チャックを閉じた後の開封を明示することを可能にしたことを特徴とする収納体の開封明示用チャック。
【請求項２】
一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きく、
上記弱め部は、上記支持部が上記収納体に固定される接着部と、上記嵌合部との間に設けられたことを特徴とする収納体の開封明示用チャック。
【請求項３】
対となるチャック半部を備え、
各チャック半部には嵌合部と、上記嵌合部を支持する支持部を備え、
上記対となるチャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記対となるチャック半部のそれぞれには複数の対となる嵌合部が設けられ、上記対となる嵌合部の少なくとも１つの対となる嵌合部を支持する支持部の少なくとも一つに弱め部が設けられ、上記対となる嵌合部の少なくとも他の１つの対となる嵌合部を支持する支持部には弱め部が設けられておらず、
上記弱め部が設けられた嵌合部同士の嵌合強度が、上記弱め部が破断する強度よりも大きいことを特徴とする収納体の開封明示用チャック。
【請求項４】
開封明示用チャックと、開閉用チャックとによって開口部が閉ざされた収納体であり、
上記開封明示用チャックは、一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックであり、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きいものであり、
上記開閉用チャックは、一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックであり、且つ、上記弱め部が設けられていないことを特徴とする収納体。
【請求項５】
請求項１〜３の何れかに記載の開封明示用チャックによって開口部が閉ざされたことを特徴とする収納体。
【手続補正２】
【補正対象書類名】明細書
【補正対象項目名】０００５
【補正方法】変更
【補正の内容】
【０００５】
本願の請求項１に係る発明は、
一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きく、
上記嵌合部同士を嵌合してチャックを閉じることで、上記閉じたチャックを開こうとすると、チャックの上記嵌合部同士の嵌合が開く前に、上記弱め部が破断してしまうことによって、上記チャックを閉じた後の開封を明示することを可能にしたことを特徴とする収納体の開封明示用チャックを提供する。
本願の請求項２に係る発明は、一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きく、
上記弱め部は、上記支持部が上記収納体に固定される接着部と、上記嵌合部との間に設けられたことを特徴とする収納体の開封明示用チャックを提供する。
本願の請求項３に係る発明は、
対となるチャック半部を備え、
各チャック半部には嵌合部と、上記嵌合部を支持する支持部を備え、
上記対となるチャック半部の嵌合部同士を強制嵌合することによって上記チャック半部同士が閉ざされ、強制嵌合を解除することによって上記チャック半部同士が開くようにした合成樹脂製のチャックにおいて、
上記チャックが設けられる収納体に、上記支持部が取り付け又は一体成形されるものであり、
上記対となるチャック半部のそれぞれには複数の対となる嵌合部が設けられ、上記対となる嵌合部の少なくとも１つの対となる嵌合部を支持する支持部の少なくとも一つに弱め部が設けられ、上記対となる嵌合部の少なくとも他の１つの対となる嵌合部を支持する支持部には弱め部が設けられておらず、
上記弱め部が設けられた嵌合部同士の嵌合強度が、上記弱め部が破断する強度よりも大きいことを特徴とする収納体の開封明示用チャックを提供する。
本願の請求項４に係る発明は、開封明示用チャックと、開閉用チャックとによって開口部が閉ざされた収納体であり、
上記開封明示用チャックは、一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックであり、
上記チャックが設けられる収納体に、上記支持部が取り付け又は一体成形されるものであり、
上記両チャック半部の少なくともいずれか一方に、弱め部が設けられ、
上記嵌合部同士の嵌合強度が、上記弱め部が破断する強度よりも大きいものであり、
上記開閉用チャックは、一対のチャック半部を備え、各チャック半部には嵌合部とこの嵌合部を支持する支持部を備え、上記両チャック半部の嵌合部同士を強制嵌合することによって上記チャック半部同士が閉ざされ、強制嵌合を解除することによって上記チャック半部同士が開くようにした合成樹脂製のチャックであり、且つ、上記弱め部が設けられていないことを特徴とする収納体を提供する。
本願の請求項５に係る発明は、請求項１〜３の何れかに記載の開封明示用チャックによって開口部が閉ざされたことを特徴とする収納体を提供する。
【手続補正３】
【補正対象書類名】明細書
【補正対象項目名】００１７
【補正方法】変更
【補正の内容】
【００１７】
以上、本願の開封明示用チャックを用いた収納体にあっては、収納袋３１等の収納体の開口部３２等から、内容物（物品に限らず、液体、気体なども含む）を収納した後、開封明示用チャック１０を閉じる。この簡単で素早い作業のみで、収納袋３１の封緘が完了する。悪戯などの不正行為が収納体の内容物に対して行なわれようとして、開口部３２を開くと、雌雄の嵌合部１２、２２が外れる前に、弱め線１６、２６が破れる。その結果、予定外の不正なアクセスの痕跡が残るものであり、安全性の向上に寄与することができるものである。